(57)【要約】【課題】優れた滑り止め効果と優れた切れ味をバランスよく実現できる理髪用鋏を提供する。【解決手段】一方の刃体１２が、刃線１２ａに複数の凹溝１８が鋸歯状に連続形成された溝付き刃体１２である。凹溝１８は、溝付き刃体１２の刃線１２ａを直角に切り込むように形成された第一の切り込み面２０と、溝付き刃体１２の刃線１２ａを鈍角に切り込むように形成されて第一の切り込み面２０の最深部に達する第二の切り込み面２２とで構成される。第一の切り込み面２０が刃先１２ｂ側に、第二の切り込み面２２が刃元１２ｃ側に各々配置されている。【選択図】図２
2020022608.tif 000002
【特許請求の範囲】
【請求項１】
２つの刃体がＸ状に交差して回動可能に結合された理髪用鋏において、
前記２つの刃体の中の少なくとも一方が、刃線に複数の凹溝が鋸歯状に連続形成された溝付き刃体であり、
前記凹溝は、前記溝付き刃体の刃線を直角に切り込むように形成された第一の切り込み面と、前記溝付き刃体の刃線を鈍角に切り込むように形成されて前記第一の切り込み面の最深部に達する第二の切り込み面とで構成され、前記第一の切り込み面が刃先側に、前記第二の切り込み面が刃元側に各々配置されていることを特徴とする理髪用鋏。
【請求項２】
前記第一の切り込み面の切り込み深さが０．０８〜０．１２ｍｍの範囲に設定され、
前記凹溝の開口幅が０．１５〜０．５５ｍｍの範囲に設定され、凹溝の厚みが０．２〜０．３ｍｍの範囲に設定されている請求項１記載の理髪用鋏。
【請求項３】
前記２つの刃体のうちの一方の静刃である刃体に前記凹溝が形成され、他方の動刃である刃体には前記凹溝が形成されていない請求項２記載の理髪用鋏。
【発明の詳細な説明】
【技術分野】
【０００１】
本発明は、２つの刃体がＸ状に交差して回動可能に結合された理髪用鋏に関する。
【背景技術】
【０００２】
従来、例えば特許文献１に開示されているように、カット時に髪の毛が刃線に沿って滑るのを防止するため、鋏の刃の部分に切り込み溝をつけた溝付きハサミがあった。特許文献１の図面には、円弧形やＶ字形の切り込み溝が記載されている。
【先行技術文献】
【特許文献】
【０００３】
【特許文献１】実開昭５４−１３２８９１号公報
【発明の概要】
【発明が解決しようとする課題】
【０００４】
理髪用鋏は、カット時に髪の毛を滑りにくくする効果と、指に抵抗感なくスムーズにカットできる切れ味の両方を備えていることが重要である。しかし、滑り止め効果と切れ味は相反する機能であり、特許文献１の溝付きハサミの構造では、滑り止め効果と切れ味をバランスよく向上させることが難しく、さらなる改善が必要である。
【０００５】
本発明は、優れた滑り止め効果と優れた切れ味をバランスよく実現できる理髪用鋏を提供することを目的とする。
【課題を解決するための手段】
【０００６】
本発明は、２つの刃体がＸ状に交差して回動可能に結合された理髪用鋏であって、前記２つの刃体の中の少なくとも一方が、刃線に複数の凹溝が鋸歯状に連続形成された溝付き刃体であり、前記凹溝は、前記溝付き刃体の刃線を直角に切り込むように形成された第一の切り込み面と、前記溝付き刃体の刃線を鈍角に切り込むように形成されて前記第一の切り込み面の最深部に達する第二の切り込み面とで構成され、前記第一の切り込み面が刃先側に、前記第二の切り込み面が刃元側に各々配置されている理髪用鋏である。
【０００７】
例えば、前記第一の切り込み面の切り込み深さが０．０８〜０．１２ｍｍの範囲に設定され、前記凹溝の開口幅が０．１５〜０．５５ｍｍの範囲に設定され、凹溝の厚みが０．２〜０．３ｍｍの範囲に設定されている。
【０００８】
前記２つの刃体のうちの一方の静刃である刃体に前記凹溝が形成され、他方の動刃である刃体には前記凹溝が形成されていないものである。
【発明の効果】
【０００９】
本発明の理髪用鋏は、２つの刃体の中の少なくとも一方が、刃線に複数の凹溝が鋸歯状に連続形成された溝付き刃体であり、各凹溝が独特な形状に形成されているので、優れた滑り止め効果と優れた切れ味という相反する機能をバランスよく実現することができる。
【００１０】
また、凹溝の各部の寸法を規定範囲内に設定することによって、特に日本人女性の髪の毛のカットに好適な理髪用鋏を得ることができる。
【図面の簡単な説明】
【００１１】
【図１】本発明の一実施形態の理髪用鋏の外観を示す斜視図である。
【図２】溝付き刃体の刃線及び凹溝の部分を刃線側から見た拡大図（ａ）、刃線及び凹溝の部分の拡大平面図（ｂ）である。
【発明を実施するための形態】
【００１２】
以下、本発明の理髪用鋏の一実施形態について、図面に基づいて説明する。この実施形態の理髪用鋏１０は、図１に示すように、刃体１２（静刃）と刃体１４（動刃）とがＸ字状に交差し、軸部材１６を介して互いに回動可能に結合された構造になっている。刃体１２，１４の刃線１２ａ，１４ａは、直線と曲線のどちらでもよく、この実施形態では直線刃に適用した例を示す。刃体１２の刃線１２ａには、刃先１２ｂから刃元１２ｃにかけて、複数の凹溝１８が鋸歯状に連続形成されており、以下、刃体１２を溝付き刃体１２と称する。
【００１３】
図２（ａ）、（ｂ）に示すように、各凹溝１８は、刃先１２ｂ側に配置された第一の切り込み面２０と、刃元１２ｃ側に配置された第二の切り込み面２２とで構成されている。第一の切り込み面２０は、刃線１２ａを直角に切り込むように形成され、第二の切り込み面２２は、刃線１２ａを鈍角に切り込むように形成されて第一の切り込み面１８の最深部に達している。
【００１４】
刃線１２ａに対して直角な第一の切り込み面２０は、カット時、髪の毛Ｈａが刃先１２ｂの方に向かって移動するのを防止するストッパの働きをする。一方、刃線１２ｂに対して傾斜している第二の切り込み面２２は、カット時、髪の毛Ｈａを刃先１２ｂの方向に少しだけ滑らせる働きをし、これによって刃線１２ｂ，１４ｂが髪の毛Ｈａに食い込みやすくなり、切れ味が良くなる。そして、これらの動作が良好に行われるように寸法Ａ，Ｂ，Ｃを調節する。
【００１５】
例えば、第一の切り込み面２０の切り込み深さＡは、浅くし過ぎると滑り止め効果が弱くなり、深くし過ぎると切れ味が悪くなる。また、凹溝１８の開口幅Ｂは、広くし過ぎると滑り止め効果が弱くなり、狭くし過ぎると切れ味が悪くなる。また、凹溝１８の厚みＣは、厚くし過ぎると刃線１２ａの尖鋭さが低下して切れ味が悪くなり、薄くし過ぎると刃線及び凹溝が破損しやすくなる。そして、寸法Ａ，Ｂ，Ｃの最適値は、髪の毛Ｈａの太さによって異なってくる。
【００１６】
日本人女性の髪の毛Ｈａの太さは、平均値で０．０８ｍｍと言われている。そこで、発明者が鋭意検討したところ、日本人女性用の理髪用鋏１０は、第一の切り込み面２０の切り込み深さＡを０．０８〜０．１２ｍｍ（より好ましくは０．０９〜０．１１ｍｍ）の範囲とし、凹溝１８の開口幅Ｂを０．１５〜０．５５ｍｍ（より好ましくは０．２５〜０．４５ｍｍ）の範囲とし、凹溝１８の厚みＣを０．２〜０．３ｍｍ（より好ましくは０．２３〜０．２７ｍｍ）の範囲とすることによって、優れた滑り止め効果と優れた切れ味をバランスよく実現できることが分かった。
【００１７】
髪の毛Ｈａの太さは、人種や性別によって異なる（例えば、欧米人女性の髪の毛Ｈａの太さは、平均値で０．０５ｍｍと言われている。）ので、日本人女性以外の髪の毛Ｈａをカットする理髪用鋏１０の寸法Ａ，Ｂ，Ｃは、日本人女性用とは異なる値に設定することが好ましい。
【００１８】
動刃である刃体１４は、滑らかな直線状又は曲線状の刃線を有し、主に髪の毛Ｈａの切断機能を有する。
【００１９】
以上説明したように、理髪用鋏１０は、一方の刃体１２が、刃線１２ａに複数の凹溝１８が鋸歯状に連続形成された溝付き刃体１２であり、各凹溝１８が独特な形状に形成されているので、刃体１２側で優れた滑り止め効果を発揮し、刃体１４による髪の毛Ｈａの切断時に、髪の毛Ｈａが刃先１２ｂ側に逃げず、優れた切れ味を得ることができる。これにより、髪の毛Ｈａの滑り止めと切れ味と言う相反する機能をバランスよく実現することができる。
【００２０】
なお、本発明の理髪用鋏は、上記実施形態に限定されるものではない。上述の通り、刃体１２，１４の刃線１２ａ，１４ａは、直線と曲線のどちらでも良いが、本発明の実施結果からは、曲線刃の方が滑らかな切れ味が得られた。従って、曲線刃に応用することにより、より有利な効果が得られる。その他、上記の理髪用鋏１０は、静刃である刃体１２だけが溝付き刃体になっているが、動刃である刃体１４だけを溝付き刃体にしてもよいし、刃体１２と１４の両方を溝付き刃体にしてもよい。その他、軸部材の構造やハンドルの形状等は、自由に変更することができる。
【符号の説明】
【００２１】
１０  理髪用鋏
１２  溝付き刃体
１２ａ  刃線
１２ｂ  刃先
１２ｃ  刃元
１４  刃体
１８  凹溝
２０  第一の切り込み面
２２  第二の切り込み面
Ａ  第一の切り込み面の切り込み深さ
Ｂ  凹溝の開口幅
Ｃ  凹溝の厚み
【図１】
2020022608.tif 000003
【図２】
2020022608.tif 000004